(57)【特許請求の範囲】
【請求項１】
空気吸込口および空気吹出口を有する筺体と、前記空気吸込口から前記空気吹出口へと連結する風路と、該風路に配置される複数のターボファンと、該ターボファンの下流側かつ前記空気吹出口の上流側に配置される熱交換器を備えた空気調和器であって、
前記空気吸込口は、前記筺体の上面側および下面側の少なくとも一方に形成され、前記空気吹出口は、少なくとも前記筺体の前面側に形成され、前記空気吹出口には、前記各ターボファンの間に仕切り板を備えるとともに、
前記仕切り板の両側の前記各ターボファンの回転数を異ならせて運転する手段と、前記仕切り板を設けた前記空気吹出口の中央部分における両側の吹き出し空気を互いに遠ざける方向に向ける手段を備えることを特徴とする空気調和機。
【請求項２】
請求項１に記載の空気調和機であって、
前記複数のターボファンは、前記空気吹出口に向かって左右に配置され、左右のターボファンの回転数を互いに相違して運転せしめることで前記空気吹出口から左右方向に吹き出す空気風量を相違して与え、かつ前記空気吹出口中央部分における左右の吹き出し空気を互いに遠ざける方向に向ける手段は、前記空気吹出口中央部分に設けられた仕切り板であって前記仕切り板の幅は、前記空気調和機の前面側に向って広がることを特徴とする空気調和機。
【請求項３】
請求項１に記載の空気調和機であって、
前記複数のターボファンは、前記空気吹出口に向かって左右に配置され、左右のターボファンの回転数を互いに相違して運転せしめることで前記空気吹出口から左右方向に吹き出す空気風量を相違して与え、かつ前記空気吹出口中央部分における左右の吹き出し空気を互いに遠ざける方向に向ける手段は、空気吹出口左右に設けられた２組の左右風向板であって、前記ターボファンの回転数が左右で異なるとき、前記２組の左右風向板の吹き出し空気上流側が接近し、前記２組の左右風向板の吹き出し空気下流側が離れる位置にすることを特徴とする空気調和機。
【請求項４】
請求項１に記載の空気調和機であって、
前記複数のターボファンは、前記空気吹出口に向かって左右に配置され、左右のターボファンの回転数を互いに相違して運転せしめることで前記空気吹出口から左右方向に吹き出す空気風量を相違して与え、かつ前記空気吹出口中央部分における左右の吹き出し空気を互いに遠ざける方向に向ける手段は、前記空気吹出口中央部分の前記仕切り板の両側に跨いで設けられた左右風向板であって、前記ターボファンの回転数が左右で異なるとき、前記仕切り板に対して左右に位置する前記左右風向板は、吹き出し空気上流側が接近し、前記左右風向板の吹き出し空気下流側が離れる位置にすることを特徴とする空気調和機。
【請求項５】
空気吸込口および空気吹出口を有する筺体と、
前記空気吸込口から前記空気吹出口へと連結する風路と、
該風路に配置される複数のファンと、
該ファンの下流側かつ前記空気吹出口の上流側に配置される熱交換器と、
前記空気吹出口であって前記筺体の長手方向の一方に配置された第１の左右風向板と、
前記空気吹出口であって前記筺体の長手方向の他方に配置された第２の左右風向板と、
前記各ファンの回転数が異なるとき、前記第１の左右風向板の延長と前記第２の左右風向板の延長が背面側で交わるよう前記第１の左右風向板と前記第２の左右風向板の左右方向の角度を制御する手段とを備えた空気調和機。
【請求項６】
請求項１から請求項４のいずれか1項に記載の空気調和機であって、
前記熱交換器は、前記ターボファンの前記空気吹出口側の面、及び当該空気吹出口側の面に交差する前記ターボファンの両側面を囲むように配置され、左右の前記ターボファンに共通に設けられた１組の熱交換器であり、左右の前記ターボファンの間が仕切り板により仕切られていることを特徴とする空気調和機。
【請求項７】
請求項１から請求項４のいずれか1項に記載の空気調和機であって、
前記熱交換器は、前記ターボファンの前記空気吹出口側の面、及び当該空気吹出口側の面に交差する前記ターボファンの両側面を囲むように配置され、左右の前記ターボファンごとに独立に設けられた熱交換器の組み合わせであり、前記熱交換器の間が仕切り板により仕切られていることを特徴とする空気調和機。
【請求項８】
請求項１から請求項４、請求項６、請求項７のいずれか１項に記載の空気調和機であって、
前記複数のターボファンは２台であり、２台のターボファンの回転方向は互いに相違する回転方向とされていることを特徴とする空気調和機。
【発明の詳細な説明】
【技術分野】
【０００１】
本発明は、空気調和機に関し、特にターボファンを備える空気調和機に関する。
【背景技術】
【０００２】
空気調和機の室内機は、吸込口および吹出口が形成された室内機の筺体の内部に、室内熱交換器、ファン等を収納して構成されている。室内機は、ファンにより発生した負圧により吸込口から室内空気を吸引し、室内熱交換器において吸引した室内空気と冷凍サイクル内の冷媒との間で熱交換させて調和空気を生成し、この調和空気を吹出口から吹き出して室内の空調を行うように構成されている。なお、係る空気調和機には、その取り付け手段に応じて壁掛け型、天井吊り下げ型、スタンド型といった様々な製品群があるが、上記機能を達成するという面においては同一の機能、構成を有している。
【０００３】
このうち例えば、従来の壁掛け型室内機として、特許文献１には、ターボファンを備える空気調和装置の室内機が開示されている。即ち、特許文献１の室内機は、「ケーシングの下面に吸込口を、前面及び両側面に吹出口を形成する。ケーシング内の空気通路には、吹出口に沿ってコ字状の熱交換器を配置し、熱交換器の背面側にターボファンを２つ並べて配置する。」と記載されている（要約参照）。
【先行技術文献】
【特許文献】
【０００４】
【特許文献１】特開２０００−２０５５８８号公報
【発明の概要】
【発明が解決しようとする課題】
【０００５】
特許文献１に開示された空気調和機の室内機では、通常、電動モータおよびファン等は左右同一のもので、かつ同一制御であるため、左右の吹出し口から吹き出される空気の風量は、左右同一量である。
【０００６】
このため、特許文献１に開示された空気調和機の室内機では、左右に同等の冷房能力、あるいは暖房能力を備えて吹出されることになり、部屋内において左右何れか一方の側に多い冷房能力あるいは暖房能力を必要とする場合はこれに対処することが困難であった。
【０００７】
そこで本発明においては、室内の複数ゾーンにおいて、冷房あるいは暖房能力を増減可能として、要求に応じたゾーン冷、暖房を確実に行なうことができる空気調和機を提供することを目的とする。
【課題を解決するための手段】
【０００８】
このような課題を解決するために空気吸込口および空気吹出口を有する筺体と、空気吸込口から空気吹出口へと連結する風路と、風路に配置される複数のターボファンと、ターボファンの下流側かつ空気吹出口の上流側に配置される熱交換器を備えた空気調和器であって、空気吸込口は、筺体の上面側および下面側の少なくとも一方に形成され、空気吹出口は、少なくとも筺体の前面側に形成され、吹出口には、各ターボファンの間に仕切り板を備えるとともに、仕切り板の両側の各ターボファンの回転数を異ならせて運転する手段と、仕切り板を設けた吹出口中央部分における両側の吹き出し空気を互いに遠ざける方向に向ける手段を備えることを特徴とする。
【０００９】
また本発明においては、空気吸込口および空気吹出口を有する筺体と、空気吸込口から空気吹出口へと連結する風路と、風路に配置される複数のファンと、ファンの下流側かつ空気吹出口の上流側に配置される熱交換器と、空気吹出口であって筐体の長手方向の一方に配置された第１の左右風向板と、空気吹出口であって筐体の長手方向の他方に配置された第２の左右風向板と、各ファンの回転数が異なるとき、第１の左右風向板の延長と第２の左右風向板の延長が背面側で交わるよう第１の左右風向板と第２の左右風向板の左右方向の角度を制御する手段とを備えることを特徴とする。
【発明の効果】
【００１０】
本発明によれば、快適性の高い空気調和機を提供することができる。
【図面の簡単な説明】
【００１１】
【図１】実施例１に係る空気調和機１００の室内機２の上断面を示した図。
【図２】実施例１に係る空気調和機１００の室内機２について、ターボファン９の中心を通る側断面を示した図。
【図３】一般的な空気調和機１００の構成と機能を示す模式図。
【図４】室内機２の内部に配置される室内熱交換器８の構造を示す図。
【図５】実施例２に係る空気調和機１００の室内機２の上断面を示した図。
【図６】実施例２において、通常運転と不均衡運転の場合の、ファンモータ２１の回転数と左右風向板２９の向きを示した図。
【図７】実施例３に係る空気調和機１００の室内機２の上断面を示した図。
【図８】実施例３において、通常運転と不均衡運転の場合の、ファンモータ２１の回転数と左右風向板２９Ｃの向きを示した図。
【図９】実施例４に係る空気調和機１００の室内機２の上断面を示した図。
【図１０】実施例５に係る空気調和機１００の室内機２の上断面を示した図。
【図１１】実施例６に係る空気調和機１００の室内機２の上断面を示した図。
【発明を実施するための形態】
【００１２】
以下、本発明を実施するための形態（以下「実施例」という）について、適宜図面を参照しながら詳細に説明する。
【実施例１】
【００１３】
以下本発明の実施例について説明するが、その前に本発明の適用される一般的な空気調和器の機能、構成について図３、図４を用いて説明し、その後実施例１について図１、図２を用いて説明する。
【００１４】
まず図３は、一般的な空気調和機１００の構成と機能を示す模式図である。
【００１５】
図３に示すように、一般的な空気調和機１００は、室外機１と、室内機２と、を備えている。室外機１は、冷媒を圧縮する圧縮機３と、冷媒の流れの向きを切り替えるための四方弁４と、冷媒と室外空気との間で熱交換させるための室外熱交換器５と、室外空気を室外機１の内部に取り込むためのプロペラファン６と、冷媒を膨張させる膨張弁７と、を備えている。
【００１６】
室内機２は、冷媒と室内空気との間で熱交換させるための室内熱交換器８と、室内空気を室内機２の内部に取り込むためのターボファン９と、を備えている。また、圧縮機３、四方弁４、室外熱交換器５、膨張弁７、および室内熱交換器８は、配管１０で接続され、冷媒が循環することができるようになっている。なお、冷媒は、Ｒ４１０ＡやＲ３２等の冷媒を用いることができる。なお図４の配管経路において、実線で示した矢印は冷房運転時、点線で示した矢印は暖房運転時における冷媒の流れる方向を示している。
【００１７】
空気調和機１００の冷房運転時において、四方弁４は、図３の実線で示すように接続され、圧縮機３から吐出された冷媒は、室外熱交換器５、膨張弁７、室内熱交換器８の順に流れ、再び圧縮機３に循環するようになっている（図３の実線矢印参照）。他方、空気調和機１００の暖房運転時において、四方弁４は、図３の破線で示すように接続され、圧縮機３から吐出された冷媒は、室内熱交換器８、膨張弁７、室外熱交換器５の順に流れ、再び圧縮機３に循環するようになっている（図３の破線矢印参照）。
【００１８】
またこれらの冷暖房運転時に、室外機１の内部では、室外空気はプロペラファン６によって吸引されて、室外熱交換器５を通過することにより、冷媒と室外空気との間で熱交換ができるようになっている。
【００１９】
また、室内機２の内部では、室内空気はターボファン９によって押し出されて室内熱交換器８を通過することにより、冷媒と室内空気との間で熱交換ができるようになっている。そして、冷媒と熱交換することにより加熱または冷却された室内空気である調和空気を吹出して室内の空調を行うようになっている。
【００２０】
次に、室内機２の内部に配置される室内熱交換器８の構造について図４を用いて説明する。図４は、室内熱交換器８の分解斜視図である。
【００２１】
図４に示すように、室内熱交換器８は、クロスフィンチューブ式熱交換器であり、複数のアルミニウム製のフィン１１を、Ｕ字状に曲げられた銅製の伝熱管１２が貫くように構成されている。フィン１１に挿入された伝熱管１２を液圧または機械的に拡管することにより、フィン１１と伝熱管１２とが密着する。また、伝熱管１２の端部には、継手部品としてリターンベンド１３などが溶接され、冷媒の流路が構成されている。
【００２２】
本発明の適用される一般的な空気調和器の機能、構成は、図３、図４に示したとおりである。係る前提の空気調和器に適用される本発明の実施例１について、図を用いて説明する。
【００２３】
実施例１に係る室内機２の内部構造について図１、図２を用いて説明する。図１は、実施例１に係る空気調和機１００の室内機２の上断面を示した図である。図２は、実施例１に係る空気調和機１００の室内機２について、ターボファン９の中心を通る側断面を示した図である。
【００２４】
まず図２の側面図についてみると、室内機２の上面および下面には室内空気を吸い込む吸込口（空気吸込口）１４が形成され、さらに室内機２の前面（図示左側）には調和空気を吹出す吹出口（空気吹出口）１５が形成され、室内機２の内部には吸込口１４から吹出口１５へと連結する風路Ｆが形成されている。また図詞右側は室内機の背面であり、壁掛け型室内機の場合には、背面において壁に固定される。
【００２５】
上下の吸込口１４には、室内機２の内部に吸い込まれる室内空気からホコリを収集するためエアフィルタ１６が配置されている。吹出口１５には、上下風向板１７が配置され、上下風向板１７の角度を変更することで吹出口１５から吹き出される調和空気の上下の風向を制御することができるようになっている。また、室内機２の背面下部のスペースには、冷媒配管１８とドレイン配管１９が設けられている。
【００２６】
室内機２内には、上下方向に２つのターボファン９が、室内機２に対して垂直なモータ軸２０に支えられて配置されており、ターボファン９から吹出口１５までの風路の途中に室内熱交換器８が配置されている。ここで、図２の実施例では上下方向に２つのターボファン９を配置し、吸込面積を増大させて省エネ性を向上しているが、省エネ性よりもコンパクト性が優先される場合は、吸込口１４を上下どちらか一方のみとして、上下方向に１つのターボファン９を用いても良い。
【００２７】
上下の２つのターボファン９の間には、扁平両軸なファンモータ２１が配置されている。両軸モータを用いることで、２つのターボファン９の間にモータを配置することができ、風路を阻害することによる通風抵抗の増大を防ぐことができる。また、扁平モータを用いることで、限られた筐体高さの中で、ターボファン９を上下に２つ備えることができる。例えば、アキシャルギャップ型のモータを用いることで扁平両軸化が容易にできる。また、上下方向に１つのターボファンを用いる場合は、片軸なファンモータを配置しても良い。
【００２８】
このファンモータ２１と、１本のモータ軸２０で支持される上下の２つのターボファン９で、ターボファンユニット２６が構成される。ファンモータ２１によりターボファン９を動作させると、室内空気が吸込口１４から流入し、室内熱交換器８の伝熱管１２内部の冷媒（冷媒）と熱交換し、吹出口１５から調和空気を吹き出すようになっている。
【００２９】
なお室内熱交換器８の上面には、断熱材２２が配置されている。また、室内熱交換器８の下面にはドレインパン２３が設けられている。断熱材２２とドレインパン２３の素材には、例えば発泡スチロールなどを用いることができる。
【００３０】
次に、本発明の特徴が顕著に表れている図１の上断面図について説明する。図１は室内機を上方向から見た断面図であり、図示手前が前面、上が背面、左右が側面を表している。図１において、室内機２の背面と側面は、室内機２の筺体の壁で仕切られ、室内機２の中央には仕切り板２４が配置されている。中央に仕切り板２４を配置することで、左右のターボファン９から吹出る空気の干渉を抑制することができる。また、室内機２の右側面には電気品箱２５と断熱材２２が配置され、左側面には断熱材２２が配置されている。ここで、電気品箱の位置は側面に配置されているが、左右どちらでもよく、また側面以外に配置しても良い。
【００３１】
本発明では、図２で説明したターボファンユニット２６を、仕切り板２４を挟んで並列に２つ配置する。つまり、図２には図示できていないが、図２の奥行き方向にもう一つのターボファンユニット２６を備えている。なお以下の説明においては、右側面側をターボファンユニット２６Ａ、左側面側をターボファンユニット２６Ｂとして説明する。これにより、室内機２の前面の１方向に向かって調和空気を吹出す。このように、背面と側面を壁で仕切り、吹出方向を前面の１方向とすることで、調和空気の吹出し速度を高めて、調和空気を遠くまで飛ばせる。また、吹出し速度を小さくして騒音を低減したい場合は、左右側面および前面を含めた３方向に吹出しても良い。
【００３２】
さらに図１において、室内熱交換器８は、ターボファンユニット２６Ａ、２６Ｂおよび仕切り板２４を囲うように、略コの字状に１組が配置される。ターボファンユニット２６Ａから吹出される風２７Ａと、ターボファンユニット２６Ｂから吹出される風２７Ｂは、中央の仕切り板２４により、別々に熱交換器８に向って吹出される。また、室内熱交換器８は、室内機２の右背面にある継手部品群２８（図５のリターンベンド１３）にて冷媒流路（図示は省略）を形成し、空気と熱交換をする。
【００３３】
室内機２の吹出口１５には、左右の風向を制御する複数枚の左右風向板２９が配置されている。左右風向板２９は１つの軸３０で連動しており、軸３０に連結する電動モータ等により同時に同じ方向へと動くことができる。左右風向板２９を右側に動かすことで、部屋の右側ゾーンにのみ風を送ることができる。逆に、左右風向板２９を左側に動かすことで左側ゾーンにのみ風を届けることができる。
【００３４】
本発明の実施例１においては、上記のように構成したうえで、さらに吹出口１５に以下の工夫を施した点に特徴を有する。図１に示す実施例１の吹出口１５の中央部分には、室内熱交換器８から吹出された風２７Ａと風２７Ｂの混合を抑える仕切り板３１が配置される。室内熱交換器８の上流側の仕切り板２４に加えて、熱交換器８の下流側の仕切り板３１を配置することで、室内機２内でのターボファンユニット２６Ａとターボファンユニット２６Ｂから吹出す空気の混合を抑え、左右のターボファンユニット２６Ａ、２６Ｂの風量を変更することによる冷房能力あるいは暖房能力を左右ゾーンごとに変更する効果を発揮することができる。
【００３５】
以下、室内熱交換器８から吹出された風２７Ａと風２７Ｂの混合を抑える仕切り板３１を配置することの意義について説明する。
【００３６】
まず室内の左右ゾーンを均一に冷暖房したいという場面を想定する。係る場合に一般的には、ターボファンユニット２６Ａ、２６Ｂは同一回転数で動作することで、左右から同一温度、かつ同一風量の風が吹出され、部屋の右側ゾーン及び、左側ゾーンは同等に冷房あるいは暖房される。また、左右風向板２９を動作することで、右側ゾーンにのみ、あるいは左側ゾーンにのみ同一温度かつ同一風量の風が吹出され、左右片側のゾーンにのみ冷房あるいは暖房される。
【００３７】
次に左右ゾーンの一方のみを冷暖房したいという場面を想定する。この場合、左右両側のゾーンに風を吹出しつつ、右側ゾーンの冷房能力あるいは暖房能力を左側ゾーンより増大させたい場合は、右側にあるファンモータ２１の回転数を左側にあるファンモータの回転数よりも高くして、ターボファンユニット２６Ａの風量を増大させる。これにより、風２７Ａは風２７Ｂより多くなり、右側ゾーンの冷房能力あるいは暖房能力が左側ゾーンよりも高くなる。
【００３８】
同様にして左側ゾーンの冷房能力あるいは暖房能力を右側ゾーンよりも高める際には、上記ゾーンを高める場合とは逆に、左側の風２７Ｂを増大させれば良い。ここで、本実施例ではファンを左右の２つとしているが、３つ以上に構成し制御することも可能である。
【００３９】
このように左右ゾーンで不均等に風量を調整したいという場面において、左右ファンモータ２１の回転数を相違させることで実現可能である。然しながら、ただ単に正面から吹き出したのみでは、左右からの風量は、特に吹き出し口１５の中央部分の吹き出し直後において相手側ゾーンに回り込み、期待したゾーン区別冷暖房が効果的になしえない。
【００４０】
この点に関し、実施例１で追加設置された室内熱交換器８の下流側の仕切り板３１の形は、室内機２の前面側に向って広がる形状となっている。室内機２の前面側に向って広がる形状とすることで、中央部分の風２７ＡＣと風２７ＢＣはお互いを遠ざけるように風向を変更し、室内機２から吹出された後の空気の混合を抑えることができる。ただし、風量を変更しない通常運転の場合は、仕切り板３１の形状変更に伴う吹出口１５の風路縮小により風路損失が増大するため、省エネ性を重視する場合は仕切り板３１を直線形状としても良い。
【００４１】
なおターボファンユニット２６Ａとターボファンユニット２６Ｂは、双方が逆の方向に回転し、双方が前面吹出し側で室内機の側面に向う方向に回転するように構成されている。ターボファンユニット２６Ａとターボファンユニット２６Ｂの旋回により、風２７Ａと風２７Ｂは、互いに離れる方向へ流れるため、室内機２から吹出された後の空気の混合を一層抑えることができる。
【００４２】
上記したように、本発明は仕切り板の両側の各ターボファンの回転数を異ならせて運転する手段と、仕切り板を設けた吹出口中央部分における両側の吹き出し空気を互いに遠ざける方向に向ける手段を備えたものであり、仕切り板を設けた吹出口中央部分における両側の吹き出し空気を互いに遠ざける方向に向ける手段が、実施例１では前記吹出口中央部分に設けられた仕切り板であって前記仕切り板の幅は、前記空気調和機の前面側に向って広がるように構成されたものである。
【実施例２】
【００４３】
次に本発明の実施例２に係る空気調和機１００の室内機２について、図５を用いて説明する。
【００４４】
実施例２に係る空気調和機１００の室内機２（図５参照）においても、実施例１に係る空気調和機１００の室内機２（図１参照）と同様に、吹き出し口の中央部分、直後領域における風量の混合を防止している。
【００４５】
実施例１では中央部分に三角形状の仕切り板３１を設けているが、実施例２では左右風向板２９によりこれを可能としている。実施例２では左右風向板２９の構成と制御が異なっているが、その他の構成と制御は同様であり、重複する説明は省略する。
【００４６】
図５に示すように、室内機２の吹出口１５には、左右の風向を制御する複数枚の左右風向板２９が配置されている。左右風向板２９は、仕切り板３１を境に左右２つの軸３０を通して別々に動作できる。以下の説明において、室内機２の右側面側を左右風向板（第１の左右風向板）２９Ａ、左側面側を左右風向板（第２の左右風向板）２９Ｂとする。
【００４７】
左右両側のゾーンに風２７Ａ、２７Ｂを吹出しつつ、右側ゾーンの冷房能力あるいは暖房能力を左側ゾーンより増大させたい場合は、右側にあるファンモータ２１の回転数を左側にあるファンモータの回転数よりも高くして、ターボファンユニット２６Ａの風量を増大させる。これにより、風２７Ａは風２７Ｂより多くなり、右側ゾーンの冷房能力あるいは暖房能力が左側ゾーンよりも高くなる。
【００４８】
さらに、左右風向板（第１の左右風向板）２９Ａは室内機２の前面吹出し側で右側面側に向き、左右風向板（第２の左右風向板）２９Ｂは室内機の前面吹出し側で左側面側に向くことで、風２７Ａは室内機の右側面側へ、風２７Ｂは室内機の左側面側へ流れる向きを変更し、室内機２から吹出された後の空気２７ＡＣ、２７ＢＣの混合を抑えられる。
【００４９】
図６は、通常運転と不均衡運転（図では右ゾーン優先）の場合の、ファンモータ２１の回転数と左右風向板２９の向きを図示したものである。通常運転ではファンモータ２１の回転数は逆回転であるが同一回転数、左右風向板２９は前向きとされる。不均衡運転（図では右ゾーン優先）では、ファンモータ２１の回転数は右高速、左低速の逆回転であり、左右風向板２９はそれぞれ、２９Ａ右向き、２９Ｂ左向きとされる。
【００５０】
上記したように実施例２における吹出口中央部分における左右の吹き出し空気を互いに遠ざける方向に向ける手段は、吹出口左右に設けられた２組の左右風向板であって、前記ターボファンの回転数が左右で異なるとき、前記２組の左右風向板の吹き出し空気上流側が接近し、前記２組の左右風向板の吹き出し空気下流側が離れる位置にするように構成されたものである。
【００５１】
また実施例２の構成は、空気吹出口であって筐体の長手方向の一方に配置された第１の左右風向板と、空気吹出口であって筐体の長手方向の他方に配置された第２の左右風向板と、各ファンの回転数が異なるとき、第１の左右風向板の延長と第２の左右風向板の延長が背面側で交わるよう第１の左右風向板と第２の左右風向板の左右方向の角度を制御する手段とを備えたものということができる。
【実施例３】
【００５２】
次に本発明の実施例３に係る空気調和機１００の室内機２について、図７を用いて説明する。
【００５３】
実施例３に係る空気調和機１００の室内機２（図７参照）においても、実施例１に係る空気調和機１００の室内機２（図１参照）と同様に、吹き出し口の中央部分、直後領域における風量の混合を防止している。
【００５４】
実施例３に係る空気調和機１００の室内機２（図７参照）は、実施例１に係る空気調和機１００の室内機２（図４参照）と比較して、中央部分に第２の左右風向板２９Ｃを追加している。なおその他の構成は同様であり、重複する説明は省略する。
【００５５】
図７に示すように、室内機２の吹出口１５には、左右の風向を制御する複数枚の左右風向板２９が配置されている。左右風向板２９は仕切り板３１に最も近接する２枚と、室内機２の側面側にある８枚で別々に動作するように、２つの軸３０、３０Ｃを通して構成されている。以下の説明において、室内機２の中央側を左右風向板２９Ｃ、右側面側と左側面側を左右風向板２９Ｄとする。
【００５６】
係る構成において、通常運転時はファンモータ２１の回転数は逆回転であるが同一回転数、左右風向板２９は前向きとされる。
【００５７】
また、不均衡運転では以下のようにされる。例えば左右両側のゾーンに風を吹出しつつ、右側ゾーンの冷房能力あるいは暖房能力を左側ゾーンより増大させたい場合は、右側にあるファンモータ２１の回転数を左側にあるファンモータの回転数よりも高くして、ターボファンユニット２６Ａの風量を増大させる。これにより、風２７Ａは風２７Ｂより多くなり、右側ゾーンの冷房能力あるいは暖房能力が左側ゾーンよりも高くなる。
【００５８】
さらにこのとき、室内機２の中央側にある２つの左右風向板２９Ｃの延長が背面側で仕切り板３１に近接するように動作することで、中央部分の風２７ＡＣは室内機２の右側面側へ、風２７ＢＣは室内機２の左側面側へ流れる向きを変更し、吹出空気が室内機から遠ざかった後も混合を抑えられる。
【００５９】
なお実施例３では、中央側の左右風向板２９Ｃを２枚としたが、仕切り板３１に近接している２枚以上とした場合でも、風２７ＡＣは室内機の右側面側へ、風２７ＢＣは室内機の左側面側へ流れる向きを変更できるため、同様な効果が得られる。
【００６０】
図８は、通常運転と不均衡運転（図では右ゾーン優先）の場合の、ファンモータ２１の回転数と左右風向板２９の向きを図示したものである。通常運転ではファンモータ２１の回転数は逆回転であるが同一回転数、左右風向板２９Ｃは前向きとされる。不均衡運転（図では右ゾーン優先）では、ファンモータ２１の回転数は右高速、左低速の逆回転であり、左右風向板２９Ｃは右側では右向き、左側では左向きとされる。
【００６１】
上記したように実施例３における吹出口中央部分における左右の吹き出し空気を互いに遠ざける方向に向ける手段は、吹出口中央部分の前記仕切り板の両側に跨いで設けられた左右風向板であって、ターボファンの回転数が左右で異なるとき、仕切り板に対して左右に位置する左右風向板は、吹き出し空気上流側が接近し、左右風向板の吹き出し空気下流側が離れる位置にするように構成されたものである。
【実施例４】
【００６２】
次に本発明の実施例４に係る空気調和機１００の室内機２について、図９を用いて説明する。
【００６３】
実施例４に係る空気調和機１００の室内機２（図７参照）においても、実施例１に係る空気調和機１００の室内機２（図１参照）と同様に、吹き出し口の中央部分、直後領域における風量の混合を防止している。
【００６４】
実施例４に係る空気調和機１００の室内機２（図９参照）は、実施例１に係る空気調和機１００の室内機２（図１参照）と比較して、２つのターボファンユニット２６Ａ、２６Ｂごとに、コの字状の室内熱交換器８が備えられている点で大きく相違しているが、仕切り板２４、仕切り板３１により混合を阻止する考え方は、基本的に実施例１と同じ考え方を採用している。なおその他の構成は同様であり、重複する説明は省略する。
【００６５】
図９の実施例４では、室内熱交換器８は、各ターボファンユニット２６Ａ、２６Ｂを囲うように、略コの字状に２つ配置される。以下の説明において、右側面側のターボファンユニット２６Ａを囲う室内熱交換器８を室内熱交換器８Ａとし、左側面側のターボファンユニット２６Ｂを囲う室内熱交換器８を室内熱交換器８Ｂとする。
【００６６】
このように、１つのターボファンユニット２６（２６Ａ、２６Ｂ）に対して、１つの室内熱交換器８（８Ａ、８Ｂ）を略コ字状に囲うように配置することにより、室内熱交換器８の伝熱面積を確保することができる。また、室内熱交換器８は、室内機２の右背面にある継手部品群２８にて左右冷媒流路を形成し、空気と熱交換をする。
【００６７】
この構成の場合に、冷媒は液管３２を通過し、分配器３３および冷媒流量制御弁３５を経由後、室内熱交換器８Ａと室内熱交換器８Ｂに分岐する。空気と熱交換した冷媒はガス管３４を通過し室外機１へと流れる。ここで、冷媒流量制御弁３５は液管３２を流れる液冷媒の流量を調節するものである。
【００６８】
上記のように構成された室内機２において、左右ゾーンの冷房能力あるいは暖房能力を等しくする際には、左右のファンモータ２１の回転数を同一にするとともに、左右の冷媒流量制御弁３５の開度も同等となるように設定する。これにより、室内熱交換器８Ａと室内熱交換器８Ｂを流れる冷媒量及び空気量は同一となり、左右ゾーンは同等に暖房あるいは冷房される。
【００６９】
左右両側のゾーンに風を吹出しつつ、右側ゾーンの冷房能力あるいは暖房能力を左側ゾーンより増大させたい場合は、右側にあるファンモータ２１の回転数を左側にあるファンモータ２１の回転数よりも高くして、ターボファンユニット２６Ａの風量を増大させるとともに、右側にある冷媒流量制御弁３５の開度を左側にある冷媒流量制御弁３５より大きく設定して冷媒量を増加させる。これにより、室内熱交換器８Ａの冷媒流量および空気量が室内熱交換器８Ｂより大きくなり、右側ゾーンの冷房能力あるいは暖房能力が左側ゾーンより高くなる。
【００７０】
吹出口１５には、室内熱交換器８から吹出された風２７Ａと風２７Ｂの混合を抑える仕切り板３１が、室内熱交換器８の下流側に配置される。仕切り板３１を配置することで、室内機２内でのターボファンユニット２６Ａとターボファンユニット２６Ｂから吹出す空気の混合を防ぎ、左右のターボファンユニット２６Ａ、２６Ｂの風量を変更することによる冷房能力あるいは暖房能力を左右ゾーンごとに変更する効果を発揮することができる。
【００７１】
また、仕切り板３１の形は、室内機２の前面側に向って広がる形状となっている。室内機２の前面側に向って広がる形状とすることで、中央部分の風２７ＡＣと風２７ＢＣはお互いを遠ざける方向に風向を変更し、室内機２から吹出された後の空気の混合を抑えることができる。ただし、風量を変更しない通常運転の場合は仕切り板３１の形状変更に伴う吹出口１５の風路縮小により風路損失が増大するため、省エネ性を重視する場合は仕切り板３１を直線形状としても良い。
【００７２】
なおターボファンユニット２６Ａとターボファンユニット２６Ｂは、双方が逆の方向に回転し、双方が前面吹出し側で室内機の側面に向う方向に回転するように構成されている。ターボファンユニット２６Ａとターボファンユニット２６Ｂの旋回により、風２７Ａと風２７Ｂは、互いに離れる方向へ流れるため、室内機２から吹出された後の空気の混合を抑えられる。
【実施例５】
【００７３】
次に本発明の実施例５に係る空気調和機１００の室内機２について、図１０を用いて説明する。
【００７４】
実施例５に係る空気調和機１００の室内機２（図１０参照）においても、実施例１に係る空気調和機１００の室内機２（図１参照）と同様に、吹き出し口の中央部分、直後領域における風量の混合を防止している。
【００７５】
実施例５に係る空気調和機１００の室内機２（図１０参照）は、実施例４のように２つのターボファンユニット２６Ａ、２６Ｂごとに、コの字状の室内熱交換器８が備えられている方式を採用しているが、中央部分の風量の棍棒を阻止する考え方は図５の実施例２の手法を採用している。なおその他の構成は上記実施例と同様であり、重複する説明は省略する。
【００７６】
図１０によれば、室内機２の吹出口１５には、左右の風向を制御する複数枚の左右風向板２９が配置されている。左右風向板２９は、仕切り板２４を境に左右２つの軸３０を通して別々に動作できる。以下の説明において、室内機２の右側面側を左右風向板（第１の左右風向板）２９Ａ、左側面側を左右風向板（第２の左右風向板）２９Ｂとする。
【００７７】
上記のように構成された室内機２において、左右ゾーンの冷房能力あるいは暖房能力を等しくする際には、左右のファンモータ２１の回転数を同一にするとともに、左右の冷媒流量制御弁３５の開度も同等となるように設定する。これにより、室内熱交換器８Ａと室内熱交換器８Ｂを流れる冷媒量及び空気量は同一となり、左右ゾーンは同等に暖房あるいは冷房される。また２つの左右風向板（第１の左右風向板２９Ａ、第２の左右風向板２９Ｂ）の向きはともに前向きとする。
【００７８】
左右両側のゾーンに風を吹出しつつ、右側ゾーンの冷房能力あるいは暖房能力を左側ゾーンより増大させたい場合は、右側にあるファンモータ２１の回転数を左側にあるファンモータ２１の回転数よりも高くして、ターボファンユニット２６Ａの風量を増大させるとともに、右側にある冷媒流量制御弁３５の開度を左側にある冷媒流量制御弁３５より大きく設定して冷媒量を増加させる。これにより、室内熱交換器８Ａの冷媒流量および空気量が室内熱交換器８Ｂより大きくなり、右側ゾーンの冷房能力あるいは暖房能力が左側ゾーンより高くなる。
【００７９】
さらに、左右風向板Ａは室内機２の前面吹出し側で右側面側に向き、左右風向板Ｂは室内機の前面吹出し側で左側面側に向くことで、風２７ＡＣは室内機の右側面側へ、風２７ＢＣは室内機の左側面側へ流れる向きを変更し、室内機２から吹出された後の混合を抑えられる。
【実施例６】
【００８０】
次に本発明の実施例６に係る空気調和機１００の室内機２について、図１１を用いて説明する。
【００８１】
実施例６に係る空気調和機１００の室内機２（図１０参照）においても、実施例１に係る空気調和機１００の室内機２（図１参照）と同様に、吹き出し口の中央部分、直後領域における風量の混合を防止している。
【００８２】
実施例６に係る空気調和機１００の室内機２（図１１参照）は、実施例４のように２つのターボファンユニット２６Ａ、２６Ｂごとに、コの字状の室内熱交換器８が備えられている方式を採用しているが、中央部分の風量の棍棒を阻止する考え方は図７の実施例３の手法を採用している。なおその他の構成は上記実施例と同様であり、重複する説明は省略する。
【００８３】
図１１に示すように、室内機２の吹出口１５には、左右の風向を制御する複数枚の左右風向板２９が配置されている。左右風向板２９は仕切り板に最も近接する２枚と、室内機２の側面側にある８枚で別々に動作するように、２つの軸３０を通して構成されている。以下の説明において、室内機２の中央側を左右風向板２９Ｃ、右側面側と左側面側を左右風向板２９Ｄとする。
【００８４】
上記のように構成された室内機２において、左右ゾーンの冷房能力あるいは暖房能力を等しくする際には、左右のファンモータ２１の回転数を同一にするとともに、左右の冷媒流量制御弁３５の開度も同等となるように設定する。これにより、室内熱交換器８Ａと室内熱交換器８Ｂを流れる冷媒量及び空気量は同一となり、左右ゾーンは同等に暖房あるいは冷房される。また２つの左右風向板２９Ｃ、２９Ｄの向きはともに前向きとする。
【００８５】
左右両側のゾーンに風を吹出しつつ、右側ゾーンの冷房能力あるいは暖房能力を左側ゾーンより増大させたい場合は、右側にあるファンモータ２１の回転数を左側にあるファンモータ２１の回転数よりも高くして、ターボファンユニット２６Ａの風量を増大させるとともに、右側にある冷媒流量制御弁３５の開度を左側にある冷媒流量制御弁３５より大きく設定して冷媒量を増加させる。これにより、室内熱交換器８Ａの冷媒流量および空気量が室内熱交換器８Ｂより大きくなり、右側ゾーンの冷房能力あるいは暖房能力が左側ゾーンより高くなる。
【００８６】
さらに、室内機２の中央側にある２つの左右風向板２９Ｃの延長が背面側で仕切り板３１に近接するように動作することで、中央部の風２７ＡＣは室内機の右側面側へ、風２７ＢＣは室内機の左側面側へ流れる向きを変更し、吹出し空気が室内機から遠ざかった後も混合を抑えられる。
【００８７】
なお本実施例では、中央側の左右風向板２９Ｃを２枚としたが、仕切り板３１に近接している２枚以上とした場合でも、中央部の風２７ＡＣは室内機の右側面側へ、風２７ＢＣは室内機の左側面側へ流れる向きを変更できるため、同様な効果が得られる。
【符号の説明】
【００８８】
１：室外機（筺体）
２：室内機（筺体）
３：圧縮機
４：四方弁
５：室外熱交換器
６：プロペラファン
７：膨張弁
８：室内熱交換器（熱交換器）
９：ターボファン
１０：配管
１１：フィン
１２：伝熱管
１３：リターンベンド
１４：吸込口（空気吸込口）
１５：吹出口（空気吹出口）
１６：エアフィルタ
１７：上下風向板
１８：冷媒配管
１９：ドレイン配管
２０：モータ軸（回転軸）
２１：ファンモータ
２２：断熱材
２３：ドレインパン
２４：仕切り板（室内熱交換器の上流側）
２５：電気品箱
２６、２６Ａ、２６Ｂ：ターボファンユニット（ターボファン）
２７、２７Ａ、２７Ｂ：風
２８：継手部品群
２９、２９Ａ、２９Ｂ、２９Ｃ、２９Ｄ：左右風向板
３０：左右風向板の軸
３１：仕切り板（室内熱交換器の下流側）
３２：液管
３３：分配器
３４：ガス管
３５：冷媒流量制御弁
【図１】
0006411238.tif 000002
【図２】
0006411238.tif 000003
【図３】
0006411238.tif 000004
【図４】
0006411238.tif 000005
【図５】
0006411238.tif 000006
【図６】
0006411238.tif 000007
【図７】
0006411238.tif 000008
【図８】
0006411238.tif 000009
【図９】
0006411238.tif 000010
【図１０】
0006411238.tif 000011
【図１１】
0006411238.tif 000012